(57)【特許請求の範囲】
【請求項１】
蓄電池の温度を検出する温度検出器と、蓄電池の入出力電流を検出する電流検出器と、電流検出器で検出された電流の積算値より蓄電池の蓄電量を検出する蓄電量検出手段を有する演算制御器を備え、
前記演算制御器は、蓄電池の平均温度と平均電流値と蓄電量の変動幅より蓄電池の劣化速度を算出する劣化速度算出手段と、蓄電池の許容劣化量を算出し、該許容劣化量を前記劣化速度で除算して寿命時間を算出する寿命算出手段を備えたことを特徴とする蓄電池の寿命予測装置。
【請求項２】
蓄電池の温度を検出する温度検出器と、蓄電池の入出力電流を検出する電流検出器と、電流検出器で検出された電流の積算値より蓄電池の蓄電量を検出する蓄電量検出手段を有する演算制御器を備え、
前記演算制御器は、蓄電池の平均温度と平均電流値と蓄電量の変動幅より蓄電池の劣化速度を算出する劣化速度算出手段を備え、劣化速度が所定値以上になると蓄電池の劣化速度を低下させる劣化速度低下制御手段を作動させることを特徴とする蓄電池の制御装置。
【請求項３】
前記劣化速度低下制御手段は、前記劣化速度が所定値以上になると蓄電池に設ける冷却装置を作動させる冷却制御手段を備えていることを特徴とする請求項２に記載の蓄電池の制御装置。
【請求項４】
前記劣化速度低下制御手段は、劣化速度が所定値以上になると蓄電池への入出力電流を制限する電流制限手段を備えていることを特徴とする請求項２または請求項３に記載の蓄電池の制御装置。
【請求項５】
前記劣化速度低下制御手段は、劣化速度が所定値以上になると蓄電池の蓄電量の上限値を小さくする充放電範囲制限手段を備えていることを特徴とする請求項２から請求項４のいずれかに記載の蓄電池の制御装置。
【請求項６】
前記劣化速度低下制御手段は、劣化速度が所定値以上になると蓄電池の蓄電量の下限値を大きくする充放電範囲制限手段を備えていることを特徴とする請求項２から請求項５のいずれかに記載の蓄電池の制御装置。
【発明の詳細な説明】
【０００１】
【発明の属する技術分野】
本発明は、使用状態に応じて変動する蓄電池の寿命を予測する蓄電池の寿命予測装置と、蓄電池の寿命を延ばすように使用状態を制御する蓄電池の制御装置に関するものである。
【０００２】
【従来の技術】
蓄電池（バッテリ）は、自動車のスタータ用、無停電電源装置あるいは太陽光発電システムなどの様々な分野や環境で利用されており、それぞれの電力として大きな役割を果たしている。そのため、蓄電池の寿命を知ることは各分野において非常に重要なことである。
【０００３】
例えば、特開２０００−２２８２２７号公報においては、蓄電池の蓄電量（ＳＯＣ：state of charge）と温度との関係式から電池容量の劣化速度を積算し、これを初期の電池容量から減算することにより、所定時間における電池容量を算出するものが開示されている。
【０００４】
【発明が解決しようとする課題】
しかしながら、蓄電池が使用される分野によっては、蓄電池の充電状態や温度を考慮するのみでは、十分に蓄電池の寿命を予測できない場合がある。
例えば、蓄電池を駆動源とするハイブリッド車両においては、蓄電池の寿命を高い精度で予測することが要望されており、上述した従来の技術においては十分に要望を満たすことができないという問題があった。
また、蓄電池の寿命を予測できた場合に、その寿命を延ばすように蓄電池の制御を行うことが要望されていた。
【０００５】
本発明は、このような事情に鑑みてなされたもので、ハイブリッド車両のような高い精度で蓄電池の寿命を予測することが要望されている分野においても、蓄電池の寿命を高い精度で予測することができる蓄電池の寿命予測装置を提供することを目的とする。
また、本発明は、蓄電池の寿命を伸ばすことができる蓄電池の制御装置を提供することを目的とする。
【０００６】
【課題を解決するための手段】
請求項１に記載した発明は、蓄電池（例えば、後述する実施の形態における蓄電池２）の温度を検出する温度検出器（例えば、後述する実施の形態における温度センサー３）と、蓄電池の入出力電流を検出する電流検出器（例えば、後述する実施の形態における電流センサー４）と、電流検出器で検出された電流の積算値より蓄電池の蓄電量を検出する蓄電量検出手段を有する演算制御器（例えば、後述する実施の形態における演算制御器５）を備え、前記演算制御器は、蓄電池の平均温度と平均電流値と蓄電量より蓄電池の劣化速度を算出する劣化速度算出手段と、蓄電池の許容劣化量を算出し、該許容劣化量を前記劣化速度で除算して寿命時間を算出する寿命算出手段を備えたことを特徴とする蓄電池の寿命予測装置（例えば、後述する実施の形態における蓄電池の寿命予測装置１）である。
【０００７】
この発明は、蓄電池の劣化速度が、蓄電池の温度と、蓄電池の入出力電流と、蓄電池の蓄電量とに大きく依存するという、本発明者の知見によりなされたものである。この発明によれば、前記温度検出器により検出する蓄電池の温度と、前記電流検出器により検出する蓄電池の入出力電流と、前記演算制御器の蓄電量検出手段により検出する蓄電池の蓄電量の変動幅とに基づいて、前記劣化速度算出手段により蓄電池の劣化速度を算出しているため、使用条件に応じて変動する蓄電池の劣化速度を求めることができる。加えて、前記寿命算出手段により蓄電池の許容劣化量を算出し、該許容劣化量を蓄電池の劣化速度で除算することで、使用条件に応じて変動する蓄電池の寿命時間を高い精度で予測することができる。
【０００８】
請求項２に記載した発明は、蓄電池の温度を検出する温度検出器と、蓄電池の入出力電流を検出する電流検出器と、電流検出器で検出された電流の積算値より蓄電池の蓄電量を検出する蓄電量検出手段を有する演算制御器（例えば、後述する実施の形態における演算制御器２１）とを備え、前記演算制御器は、蓄電池の平均温度と平均電流値と蓄電量より蓄電池の劣化速度を算出する劣化速度算出手段を備え、劣化速度が所定値以上になると蓄電池の劣化速度を低下させる劣化速度低下制御手段（例えば、後述する実施の形態における演算制御器２１）を作動させることを特徴とする蓄電池の制御装置（例えば、後述する実施の形態における蓄電池の制御装置２０）である。
【０００９】
この発明によれば、請求項１の発明の場合と同様にして、使用条件に応じて変動する蓄電池の劣化速度を求めることができる。加えて、劣化速度が所定値以上の場合には、前記劣化速度低下制御手段を作動させることにより、蓄電池の劣化速度を低下させるため、蓄電池の急激な劣化を防止することができ、蓄電池の寿命を一定以上に確保することができる。
【００１０】
請求項３に記載した発明は、請求項２に記載のものであって、前記劣化速度低下制御手段は、劣化速度が所定値以上になると蓄電池に設ける冷却装置（例えば、後述する実施の形態における冷却用ファン２２）を作動させる冷却制御手段を備えていることを特徴とする蓄電池の制御装置である。
【００１１】
この発明によれば、予定した蓄電池の入出力電流を維持しつつ、蓄電池の劣化速度を低下させることができる。このため、蓄電池の作動を制限することなく、蓄電池の寿命を一定時間以上確保することができる。
【００１２】
請求項４に記載した発明は、請求項２または請求項３に記載のものであって、劣化速度が所定値以上になると蓄電池の入出力電流を制限する電流制限手段（例えば、後述する実施の形態における入出力制御器２３）を備えていることを特徴とする蓄電池の制御装置である。
【００１３】
この発明によれば、劣化速度の低減をより短時間で行うことができ、蓄電池の寿命をより確実に一定時間以上確保することができる。
【００１４】
請求項５に記載した発明は、請求項２から請求項４のいずれかに記載のものであって、劣化速度が所定値以上になると蓄電池の蓄電量の上限値を小さくする充放電範囲制限手段を備えていることを特徴とする蓄電池の制御装置である。
この発明によれば、劣化速度の低減をさらに短時間で行うことができ、蓄電池の寿命をさらに確実に確保することができる。
【００１５】
請求項６に記載した発明は、請求項２から請求項５のいずれかに記載のものであって、前記劣化速度低下制御手段は、劣化速度が所定値以上になると蓄電池の蓄電量の下限値を大きくする充放電範囲制限手段を備えていることを特徴とする蓄電池の制御装置である。
この発明によれば、劣化速度の低減をさらに短時間で行うことができ、蓄電池の寿命をさらに確実に一定時間以上確保することができる。
【００１６】
【発明の実施の形態】
以下、本発明の実施形態における蓄電池の寿命予測装置、蓄電池の制御装置について図面と共に説明する。本実施の形態においては、ハイブリッド車両に搭載された蓄電池の寿命を予測する場合、該蓄電池の寿命を制御する場合を例として説明する。
【００１７】
図１は本発明の第１の実施の形態における蓄電池の寿命予測装置１（以下、単に「寿命予測装置１」という）を示すブロック図である。同図に示したように、前記寿命予測装置１は、蓄電池２の温度を検出するための温度センサー３と、該蓄電池２の入出力電流を検出するための電流センサー４と、該蓄電池２の蓄電量を検出する蓄電量検出手段を有する演算制御器（ＥＣＵ）５を備えている。
【００１８】
前記電流センサー４は、前記蓄電池２と電動機（モータ・ジェネレータ）６との接続経路上に設けられ、前記蓄電池２の充放電時の電流を検出できるようにしている。そして、前記演算制御器５は前記温度センサー３や前記電流センサー４に接続され、これらのセンサー３，４で検出した蓄電池２の温度や電流が前記演算制御器５に入力される。
【００１９】
また、前記演算制御器５は、その内部に蓄電量検出手段（図示せず）が設けられ、前記電流センサー４で検出された電流の積算値より蓄電池２の蓄電量を検出できるようにしている。前記演算制御器５はイグニッション７に接続され、該イグニッション７からの信号を受けて、後述する演算処理を行うのである。そして、演算制御器５は寿命推定表示器８に接続されており、該寿命推定表示器８にて演算制御器５で演算した寿命を表示できるようにしている。
【００２０】
前記蓄電池２は、前記電動機６がモータとして機能する場合には、該モータに駆動電力を供給する。一方、前記電動機６がジェネレータ６として機能する場合には、該ジェネレータから回生電力が供給される。このように、蓄電池２は使用状態が様々に変動する。
【００２１】
本発明者は、蓄電池２の劣化速度が、温度Ｔと、入出力電流（電流負荷）と、蓄電池の蓄電量の変動幅（充電深度或いは放電深度で表される充放電範囲）とに大きく依存するという知見に基づいて、これらの間の関係式を導出した。以下にその内容を示す。
【００２２】
蓄電池２の劣化速度をＫとし、使用条件の変数をＸとすると、これらは次式（１）で表わすことができる。
式（１）：Ｋ＝ｆ（Ｘ）
この関数ｆ（Ｘ）は、指数関数によってほぼ正確に近似できる傾向がある。
【００２３】
さらに、上述の式（１）は、変数ＸがＸ１、Ｘ２の場合の劣化速度をＫ１、Ｋ２とすると、その比率Ｑ（Ｋ２／Ｋ１）は他の変数Ｙの条件が変化してもほぼ等しくなる傾向がある。
【００２４】
例えば、Ｋ＝ｆ（Ｘ）が温度Ｔの相関式の場合、電流値Ｉ１のときの劣化速度比率Ｑ１と電流値がＩ２のときの劣化速度の比率Ｑ２は、ほぼ同じ値を示す。これは、各使用条件の間で交互作用が少ないので成立する。
【００２５】
本発明者は以上の知見に基づき、劣化速度Ｋが下記の式（２）で表現できることを確認した。
式（２）：Ｋ＝ｆｔ(Ｔ) ×ｆｉ(Ｉ) × ｆｓ(Ｓ)
ここで、 ｆｔ（Ｔ）は温度Ｔに依存する項、ｆｉ(Ｉ)は電流値Ｉに依存する項、ｆｓ(Ｓ)は蓄電量の変動幅Ｓに依存する項である。
【００２６】
この劣化速度Ｋで、予め実験で計測した蓄電池の許容劣化量Ｒを除算することにより、該劣化量Ｒに達する蓄電池２の寿命時間Ｌが求められる。すなわち、
式（３）：Ｌ ＝ Ｒ÷Ｋ
これらの式（２）、式（３）を用いて、蓄電池２の寿命時間Ｌを容易に推定することができる。なお、許容劣化量Ｒについては詳細を後述する。
【００２７】
以下、前記式（２）の形をより具体的に算出する。
本発明者は、劣化速度Ｋが温度Ｔのみに依存する場合のアレニウスの式（４）式（４）：Ｋ＝Λｅ(-ΔE/(kT)
（ここで、Λは定数）と、
温度Ｔと他のストレス因子Ｓを一つ含んだアイリングの式（５）
式（５）：Ｋ＝ａ（（ｋＴ）／ｈ）・ｅ(-ΔE/(kT))・Ｓα
に基づいて、以下の式（６）を導出した。
式（６）：Ｋ＝ａ（（ｋＴ）／ｈ）・ｅ(-ΔE/(kT))・Ｓα・Ｓ’α'
ここで、Ｓは電流負荷、Ｓ’は蓄電量の変動幅を示しており、温度以外のストレス因子である。ｈはプランク定数、ｋはボルツマン定数、ΔＥは活性化エネルギー、Ｔは絶対温度である。
【００２８】
前記式（６）の係数を求めるために、劣化速度Ｋと各変数（電流負荷、蓄電量、温度）ごとの関係を、以下に示すように図３〜図５を用いて求める。
前記式（６）において、３つの変数のうち一つ（例えば電流負荷）に着目して両辺の対数をとると、式（６）は、以下のようになる。
式（７）：ｌｎＫ＝Ａ＋αｌｎＳ
ここでＡ、αは定数である。これらの値を図３から求める。
【００２９】
図３は蓄電池２の電流負荷特性を示すグラフである。縦軸に内部抵抗劣化速度Ｋ（％／ｈｒ）の対数をとり、横軸に電流負荷Ｓ（Ｃ）の対数をとったものである。同図においては、他の変数の影響を受けないように、温度と蓄電量の条件は一定としている。
図３から、この式（７）の係数Ａ、αは
式（８）：Ａ＝−３．５、α＝１．００
となる。
【００３０】
同様にして、前記式（６）において、蓄電量に着目すると、
式（９）：ｌｎＫ＝Ａ’＋α’ｌｎＳ’
ここでＡ’、α’は定数である。これらの値を図４から求める。
図４は蓄電池２の蓄電量特性を示すグラフである。縦軸に内部抵抗劣化速度Ｋ（％／ｈｒ）の対数をとり、横軸に蓄電量の変動幅（％）の対数をとったものである。同図においては、他の変数の影響を受けないように、温度と電流負荷の条件は一定としている。
図４から、この式（９）の係数Ａ’、α’は、
式（１０）：Ａ’＝−３．８、α＝０．３２
となる。
【００３１】
同様にして、前記式（６）において、温度Ｔに着目すると、
式（１１）：ｌｎＫ＝Ａ”−ΔＥ／（ｋＴ）＝Ａ”−α”／Ｔ
ここでＡ”、α”は定数であり、この内、α”＝ΔＥ／ｋである。これらの値を図５から求める。
図５は蓄電池２の温度特性を示すグラフである。縦軸に内部抵抗劣化速度Ｋ（％／ｈｒ）の対数をとり、横軸に絶対温度の逆数１／Ｔ（Ｋ）の対数をとったものである。同図においては、他の変数の影響を受けないように、電流負荷と蓄電量の変動幅の条件は一定としている。
図５から、この式の係数Ａ”、α”は、
式（１２）：Ａ”＝１１、α”＝−４６００
となる。
【００３２】
以上より、蓄電池の劣化速度（内部抵抗劣化反応速度）Ｋが次式（１３）で表される。
式（１３）：Ｋ＝ｄＲ／ｄｔ＝５５Ｔ・ｅ(-4600/T)・Ｓ1・Ｓ’0.32
この式（１３）に、使用条件として温度Ｔ、電流負荷Ｓ、蓄電量の変動幅Ｓ’の値を代入すれば、劣化速度Ｋの値を求めることができる。ここで、Ｒは蓄電池２の許容劣化量、ｔは規定時間であり、許容劣化量Ｒは蓄電池の寿命が到来し十分な充放電機能が得られなくなるまでの劣化量を示す値であり、様々な使用条件下での実験により計測して得られる。そして、劣化速度Ｋを式（２）に代入することにより、蓄電池２の寿命時間Ｌを求めることができる。
【００３３】
例えば、温度５０℃、電流値２Ｃ、蓄電量の変動幅２０％の条件で蓄電池２を使用している場合には、式（１３）から、反応速度Ｋは０．０６１（％／ｈｒ）となり、寿命が到来するまでの許容劣化量Ｒが３０％の場合の寿命時間を式（２）より算出すると、４９０ｈｒが得られる。
このように使用条件から、劣化速度Ｋと寿命時間Ｌを算出することができる。図６は蓄電池２の寿命時間を使用条件ごとに実験したデータである。同図では、許容劣化量Ｒが３０％の場合を寿命として寿命時間を計測している。
【００３４】
図２は図１に示した寿命予測装置１のフローチャートである。同図のステップＳ１０に示したように、イグニッション７をＯＮにすると、その信号が演算制御器５に入力されてタイマー（図示せず）が作動し、規定時間の計測を開始する。そして、劣化速度Ｋの変数である蓄電池２の温度、電流負荷、蓄電量の変動幅を規定測定時間ごとにサンプリングする。ステップＳ１２に示したようにサンプリングを行う時間が規定測定時間に到達したかどうかを判定し、判定結果が「ＹＥＳ」である場合はステップＳ１４に進み、判定結果が「ＮＯ」である場合はステップＳ１０に戻って上記処理を繰り返す。
【００３５】
ステップＳ１４では、規定時間毎に各変数（温度等）の代表値（使用環境条件代表値、例えば平均値）を算出する。そして、ステップＳ１６では、この各変数の代表値を式（１３）に代入して、劣化速度Ｋを算出する。本実施の形態においては、この劣化速度Ｋを前記寿命推定表示器８にて表示させ、これにより、現在の蓄電池２に及ぼす影響度合いを示している。
【００３６】
ステップＳ１８においては、規定時間毎に算出した各劣化速度Ｋに規定時間を乗じた劣化量Ｒｉを積算して、積算劣化量ΣＲｉを算出する。そして、ステップＳ２０に示したように、この積算劣化量ΣＲｉを蓄電池２の初期の許容劣化量Ｒ０から減算することで残存する許容劣化量Ｒを算出する。例えば、初期の許容劣化量Ｒ０が３０（％）で積算劣化量が１０（％）の場合、残存する許容劣化量Ｒは２０（％）となる。この許容劣化量Ｒが０（％）になった場合は、蓄電池の機能が不十分な状態となり寿命到来となる。
【００３７】
そして、ステップＳ２２に示したように、算出した劣化特性値を反応速度で除算することにより推定寿命時間を算出して、処理を終了する。
このようにしたため、使用条件に応じて変動する蓄電池２の劣化速度Ｋを求めることができ、使用条件に応じて変動する蓄電池２の寿命時間Ｌを高い精度で予測することができる。なお、劣化速度の履歴を記録しておくことにより、蓄電池２の解析に寄与することができる。
【００３８】
以下、蓄電池の制御装置について説明する。図７は本発明の実施の形態における蓄電池の制御装置２０（以下、単に「制御装置２０」という）を示すブロック図である。ここで、前記寿命予測装置１と同一の構成部分については同一の番号を付してその説明を適宜省略する。
【００３９】
前記制御装置２０は演算制御器２１を備えており、この演算制御器２１は前記演算制御器５と同様に、蓄電池２の劣化速度Ｋや寿命時間Ｌを式（１３）や式（２）により算出する機能を備えている。また、前記演算制御器２１は、蓄電池２に設けられた冷却用ファン２２や、電動機６に接続された入出力制御器２３に接続され、前記冷却用ファン２２や入出力制御器２３を制御可能としている。
【００４０】
図８は図７に示した制御装置２０のフローチャートである。同図において、ステップＳ３０〜Ｓ３６の処理は、図２のステップＳ１０〜Ｓ１６の処理と同様であるため、説明を省略する。
【００４１】
ステップＳ３８においては、ステップＳ３６において算出した劣化速度Ｋが基準劣化速度以上かどうかを判定し、判定結果が「ＹＥＳ」である場合はステップＳ４０に進み、判定結果が「ＮＯ」である場合は一連の処理を一旦終了する。
【００４２】
上記判定結果が「ＹＥＳ」の場合には、以下に示すように蓄電池２の劣化速度を低下させる処理を行う。すなわち、ステップＳ４０では、前記冷却用ファン２２を作動させて蓄電池２を冷却する制御を行う。図６に示したように、蓄電池２の寿命時間は温度が高くなると低下するため、上述した冷却制御を行うことにより、劣化速度Ｋの低下を図り、蓄電池２の延命を図っている。これにより、蓄電池２の作動機能を維持しつつ蓄電池２の寿命を確保することができる。
【００４３】
そして、ステップＳ４２に示すように、劣化速度Ｋを再度算出してこれが基準劣化速度以上かどうかを判定し、判定結果が「ＹＥＳ」である場合はステップＳ４４に進み、判定結果が「ＮＯ」である場合は一連の処理を一旦終了する。
【００４４】
ステップＳ４４では、前記入出力制御器２３を作動させることにより充放電量を制御する処理を行う。図６に示したように、蓄電池２の寿命時間は電流負荷が大きくなると低下するため、上述した充放電量を制御することにより、劣化速度Ｋの低下を図り、蓄電池２の延命を図っている。これにより、蓄電池２の寿命をより確実に一定時間以上確保することができる。
【００４５】
そして、ステップＳ４６に示すように、劣化速度Ｋを再度算出してこれが基準劣化速度以上かどうかを判定し、判定結果が「ＹＥＳ」である場合はステップＳ４８に進み、判定結果が「ＮＯ」である場合は一連の処理を一旦終了する。
【００４６】
ステップＳ４８においては、前記蓄電池２の蓄電量の変動幅を制御する処理を行う。図６に示したように、蓄電池２の寿命時間は蓄電量の変動幅が大きくなると低下するため、上述した変動幅が小さくなるよう制御することにより、劣化速度Ｋの低下を図り、蓄電池２の延命を図っている。これにより、蓄電池２の寿命をさらに確実に一定時間以上確保することができる。この蓄電量の変動幅の制限としては、蓄電量の上限値を小さくすることで制限してもよいし、蓄電量の下限値を大きくすることで制限してもよく、また両方の制限を行ってもよい。
【００４７】
なお、実施の形態においては、ハイブリッド車両に適用される蓄電池の寿命予測や寿命制御を行う場合について説明したが、本発明の適用範囲はこれに限られず、例えば太陽光発電システムなどの様々な分野や環境で利用される蓄電池の寿命予測や寿命制御を行う場合に適用することができる。
【００４８】
【発明の効果】
以上説明したように、請求項１に記載した発明によれば、使用条件に応じて変動する蓄電池の劣化速度を求めることができ、この劣化速度に基づいて蓄電池の寿命時間を高い精度で予測することができる。
【００４９】
請求項２に記載した発明によれば、使用条件に応じて変動する蓄電池の劣化速度を求めることができる。加えて、劣化速度が所定値以上の場合には、前記劣化速度低下制御手段を作動させることにより、蓄電池の急激な劣化を防止することができ、蓄電池の劣化速度を低下させるため、蓄電池の寿命を一定時間以上確保することができる。
【００５０】
請求項３に記載した発明によれば、予定した蓄電池の入出力電流を維持しつつ、蓄電池の劣化速度を低下させることができるため、蓄電池の作動を制限することなく、蓄電池の寿命を一定時間以上確保することができる。
請求項４に記載した発明によれば、劣化速度の低減をより短時間で行うことができ、蓄電池の寿命をより確実に確保することができる。
【００５１】
請求項５に記載した発明によれば、劣化速度の低減をさらに短時間で行うことができ、蓄電池の寿命をさらに確実に一定時間以上確保することができる。
請求項６に記載した発明によれば、劣化速度の低減をさらに短時間で行うことができ、蓄電池の寿命をさらに確実に一定時間以上確保することができる。
【図面の簡単な説明】
【図１】  図１は本発明の実施の形態における蓄電池の寿命予測装置を示すブロック図である。
【図２】  図１に示した蓄電池の寿命予測装置のフローチャートである。
【図３】  図１に示した蓄電池の電流負荷特性を示すグラフである。
【図４】  図１に示した蓄電池のＳＯＣ変動幅特性を示すグラフである。
【図５】  図１に示した蓄電池の温度特性を示すグラフである。
【図６】  図１に示した蓄電池の寿命時間を使用条件ごとに実験したデータである。
【図７】  図７は本発明の実施の形態における蓄電池の制御装置を示すブロック図である。
【図８】  図７に示した蓄電池の制御装置のフローチャートである。
【符号の説明】
１  蓄電池の寿命予測装置
２  蓄電池
３  温度検出器
４  電流センサー
５  演算制御器（ＥＣＵ）
２０  蓄電池の制御装置
２１  演算制御器
２２  冷却用ファン
２３  入出力制御器
【図１】
0003949488.tif 000002
【図２】
0003949488.tif 000003
【図３】
0003949488.tif 000004
【図４】
0003949488.tif 000005
【図５】
0003949488.tif 000006
【図６】
0003949488.tif 000007
【図７】
0003949488.tif 000008
【図８】
0003949488.tif 000009